【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
行列状に配置され、放射線を電荷に変換して画素出力値を出力する複数の画素と、
放射線の照射開始を検知する検知手段と、
前記検知手段により放射線の照射開始が検知されると、前記複数の画素に対してリセット動作から電荷の蓄積動作に切り替える駆動制御手段と、
前記複数の画素により出力された画素出力値を用いて補正係数を算出する補正係数算出手段と、
前記補正係数算出手段により算出された補正係数を用いて、前記複数の画素により出力された画素出力値を補正する補正手段とを有し、
前記駆動制御手段は、前記検知手段により放射線の照射開始が検知されるまで、前記複数の画素の暗電流による電荷のリセットを行うリセット動作を繰り返し行い、
前記リセット動作は、互いに隣接せずに配置された複数の行をひとつの群として複数の群に分けて行われ、
前記補正係数算出手段は、前記放射線が照射開始された時刻から前記検知手段が放射線の照射開始を検知するまでの間に前記リセット動作が行われた行に属する画素の画素出力値と、前記リセット動作が行われた行に属する画素の隣接行に属する画素の画素出力値とを用いて補正係数を算出することを特徴とする放射線撮像システム。
【請求項２】
前記リセット動作は、互いに隣接せずに配置されたｎ（ｎは２以上の整数）行が同時に行われ、
前記補正係数算出手段は、前記リセット動作が同時に行われたｎ行に属する画素の画素出力値と、前記リセット動作が同時に行われたｎ行に属する画素の隣接行に属する画素の画素出力値とを用いて補正係数を算出することを特徴とする請求項１記載の放射線撮像システム。
【請求項３】
前記補正係数算出手段は、前記リセット動作が行われた行に属する複数の画素の画素出力値の平均値と、前記リセット動作が行われた行に属する画素の隣接行に属する複数の画素の画素出力値の平均値とを用いて補正係数を算出することを特徴とする請求項１又は２記載の放射線撮像システム。
【請求項４】
前記補正係数算出手段は、前記リセット動作が行われた行に属するすべての画素の画素出力値の平均値と、前記リセット動作が行われた行に属する画素の隣接行に属するすべての画素の画素出力値の平均値とを用いて補正係数を算出することを特徴とする請求項１〜３のいずれか１項に記載の放射線撮像システム。
【請求項５】
前記補正係数算出手段は、前記複数の画素の中に画素出力値が飽和している飽和画素がある場合には前記飽和画素の画素出力値を除外して前記補正係数を算出することを特徴とする請求項１〜４のいずれか１項に記載の放射線撮像システム。
【請求項６】
前記補正係数算出手段は、前記複数の画素の中に欠陥画素がある場合には前記欠陥画素の画素出力値を除外して前記補正係数を算出することを特徴とする請求項１〜５のいずれか１項に記載の放射線撮像システム。
【請求項７】
さらに、放射線を照射する放射線発生装置を有することを特徴とする請求項１〜６のいずれか１項に記載の放射線撮像システム。
【請求項８】
放射線の照射開始を検知する検知部により放射線の照射開始が検知されるまで、行列状に配置されて放射線を電荷に変換して画素出力値を出力する複数の画素の暗電流による電荷のリセットが互いに隣接せずに配置された複数の行をひとつの群として複数の群に分けて行われるリセット動作が繰り返し行われ、前記検知部により放射線の照射開始が検知されると前記複数の画素に対してリセット動作から電荷の蓄積動作に切り替えられ、前記蓄積動作の後に前記複数の画素から出力された、前記放射線が照射開始された時刻から前記検知部が放射線の照射開始を検知するまでの間に前記リセット動作が行われた行に属する画素の画素出力値と、前記リセット動作が行われた行に属する画素の隣接行に属する画素の画素出力値と、を用いて補正係数を算出する補正係数算出部と、
前記補正係数算出部により算出された補正係数を用いて、前記蓄積動作の後に前記複数の画素により出力された画素出力値を補正する補正部と、
を有することを特徴とするコンピュータ。
【請求項９】
前記リセット動作は、互いに隣接せずに配置されたｎ（ｎは２以上の整数）行が同時に行われ、
前記補正係数算出部は、前記リセット動作が同時に行われたｎ行に属する画素の画素出力値と、前記リセット動作が同時に行われたｎ行に属する画素の隣接行に属する画素の画素出力値とを用いて補正係数を算出することを特徴とする請求項８記載のコンピュータ。
【請求項１０】
行列状に配置され、放射線を電荷に変換して画素出力値を出力する複数の画素と、放射線の照射開始を検知する検知部と、前記検知部により放射線の照射開始が検知されると、前記複数の画素に対してリセット動作から電荷の蓄積動作に切り替える駆動制御部と、を有する放射線撮像装置からの画素出力値を補正するための処理をコンピュータに実行させるためのプログラムであって、
放射線の照射開始を検知する検知部により放射線の照射開始が検知されるまで、行列状に配置されて放射線を電荷に変換して画素出力値を出力する複数の画素の暗電流による電荷のリセットが互いに隣接せずに配置された複数の行をひとつの群として複数の群に分けて行われるリセット動作が繰り返し行われ、前記検知部により放射線の照射開始が検知されると前記複数の画素に対してリセット動作から電荷の蓄積動作に切り替えられ、前記蓄積動作の後に前記複数の画素から出力された、前記放射線が照射開始された時刻から前記検知部が放射線の照射開始を検知するまでの間に前記リセット動作が行われた行に属する画素の画素出力値と、前記リセット動作が行われた行に属する画素の隣接行に属する画素の画素出力値と、を用いて補正係数を算出する補正係数算出ステップと、
前記補正係数算出ステップで算出された補正係数を用いて、前記蓄積動作の後に前記複数の画素により出力された画素出力値を補正する補正ステップと、
をコンピュータに実行させるためのプログラム。
【請求項１１】
前記リセット動作は、互いに隣接せずに配置されたｎ（ｎは２以上の整数）行が同時に行われ、
前記補正係数算出ステップは、前記リセット動作が同時に行われたｎ行に属する画素の画素出力値と、前記リセット動作が同時に行われたｎ行に属する画素の隣接行に属する画素の画素出力値とを用いて補正係数を算出することを特徴とする請求項１０記載のプログラム。
【手続補正２】
【補正対象書類名】明細書
【補正対象項目名】発明の名称
【補正方法】変更
【補正の内容】
【発明の名称】放射線撮像システム、コンピュータ及びプログラム
【手続補正３】
【補正対象書類名】明細書
【補正対象項目名】０００１
【補正方法】変更
【補正の内容】
【０００１】
本発明は、医療診断における一般撮影などの静止画撮影や透視撮影などの動画撮影に好適に用いられる放射線撮像システム、コンピュータ及びプログラムに関する。
【手続補正４】
【補正対象書類名】明細書
【補正対象項目名】０００９
【補正方法】変更
【補正の内容】
【０００９】
本発明の目的は、放射線の照射開始を検知可能であり、アーチファクトの小さい良質な画像を得ることができる放射線撮像システム、コンピュータ及びプログラムを提供することである。
【手続補正５】
【補正対象書類名】明細書
【補正対象項目名】００１０
【補正方法】変更
【補正の内容】
【００１０】
本発明の放射線撮像システムは、行列状に配置され、放射線を電荷に変換して画素出力値を出力する複数の画素と、放射線の照射開始を検知する検知手段と、前記検知手段により放射線の照射開始が検知されると、前記複数の画素に対してリセット動作から電荷の蓄積動作に切り替える駆動制御手段と、前記複数の画素により出力された画素出力値を用いて補正係数を算出する補正係数算出手段と、前記補正係数算出手段により算出された補正係数を用いて、前記複数の画素により出力された画素出力値を補正する補正手段とを有し、前記駆動制御手段は、前記検知手段により放射線の照射開始が検知されるまで、前記複数の画素の暗電流による電荷のリセットを行うリセット動作を繰り返し行い、前記リセット動作は、互いに隣接せずに配置された複数の行をひとつの群として複数の群に分けて行われ、前記補正係数算出手段は、前記放射線が照射開始された時刻から前記検知手段が放射線の照射開始を検知するまでの間に前記リセット動作が行われた行に属する画素の画素出力値と、前記リセット動作が行われた行に属する画素の隣接行に属する画素の画素出力値とを用いて補正係数を算出することを特徴とする。